(57)【要約】【課題】畳む場合に見た目にも美しいコンパクトな形状にすることができる収納部付き装身具を提供することを目的とする。【解決手段】収納部付き装身具１は、右手用装身具１Ａと左手用装身具１Ｂとがセットになっており、それぞれについて、伸縮性のある布体から成る筒状の本体部２と、本体部２と同じ生地から成る収納部３とを備える。本体部２において、収納部３を備える側の一端には開口部４が形成されている。収納部３は、本体部２を一定の形として収納することが可能な袋状に形成されている。収納部３は本体部２が外側に折り返されて形成されていると好ましい。【選択図】図１
0003174595.tif 000002
【実用新案登録請求の範囲】
【請求項１】
伸縮性のある布体からなる筒状の本体部と、
前記本体部の一端に設けられる伸縮性のある布体からなる収納部とを備え、
前記一端、及びその反対の端の少なくとも一方の端は開口しており、
前記収納部は、前記本体部を一定の形として収納することが可能な袋状に形成されていることを特徴とする収納部付き装身具。
【請求項２】
前記収納部は、前記筒状の本体部が外側に折り返されて形成されていることを特徴とする請求項１に記載の収納部付き装身具。
【請求項３】
開口している端の反対の端は、指が挿通可能に形成されていることを特徴とする請求項１又は請求項２に記載の収納部付き装身具。
【請求項４】
開口している端の反対の端には、指を入れる袋部が設けられていることを特徴とする請求項１〜請求項３のいずれか一項に記載の収納部付き装身具。
【考案の詳細な説明】
【技術分野】
【０００１】
本考案は、例えば、上肢又は下肢の日焼けを防止するのに使用できる収納部付き装身具に関する。
【背景技術】
【０００２】
従来、手、腕の日焼けを防止するには、手、腕を被覆する長さを有する長手袋が使用されている（特許文献１）。長手袋は、腕を被覆することができるように手袋の裾が著しく長い。このような長手袋を、未使用時には、右手用の長手袋、左手用の長手袋それぞれを適当に畳む又は右手用の長手袋と左手用の長手袋とを重ねた状態で適当に畳んで置いておくことになる。
【先行技術文献】
【特許文献】
【０００３】
【特許文献１】実用新案登録第３１１４０５９号公報
【考案の概要】
【考案が解決しようとする課題】
【０００４】
しかしながら、特許文献１に記載の長手袋を、未使用時において畳む場合には、著しく長い裾の部分を畳んで見た目にも美しいコンパクトな形状にすることは難しいという問題もある。
【０００５】
本考案は、上記問題を解決するためになされたものであり、畳む場合に見た目にも美しいコンパクトな形状にすることができる収納部付き装身具を提供することを目的とする。
【課題を解決するための手段】
【０００６】
本発明の収納部付き装身具は、伸縮性のある布体からなる筒状の本体部と、前記本体部の一端に設けられる伸縮性のある布体からなる収納部とを備え、前記一端、及びその反対の端の少なくとも一方の端は開口しており、前記収納部は、前記本体部を一定の形として収納することが可能な袋状に形成されていることを特徴とする。
【０００７】
本発明の収納部付き装身具によれば、収納部に本体部を一定の形として収納することが可能である。したがって、未使用時には、収納部付き装身具を見た目にも美しいコンパクトな形状にすることができる。
【０００８】
一定の形とは、例えば、収納部を備える一端とは反対の端から収納部に向かって本体部を三つ折りに畳み、三つ折にした本体部を収納部に向かってさらに半分に折り畳んだ形状、収納部を備える一端とは反対の端から、収納部に向かって本体部を巻いて巻物状にした形状などが挙げられる。
【０００９】
収納部は、収納部の一定の形とした本体部がある側とは反対側を裏返し、その裏返した収納部が、一定の形とした本体部の一部又は全部を覆うことにより本体部を収納することができる。
【００１０】
本発明の収納部付き装身具によれば、例えば上肢や下肢を被覆することができるので、上肢や下肢の日焼けを防止することができる。
上肢を被覆する場合には、指先側の端とは反対の端は、人体表皮の血行を極力阻害しない程度に腕を軽く締め付けることが可能な形状にして、収納部付き装身具を所望の位置からズレることを防止できると好ましい。
【００１１】
また、下肢を被覆する場合も同様に、指先側の端とは反対の端は、人体表皮の血行を極力阻害しない程度に脛又は大腿部を軽く締め付けることが可能な形状にして、収納部付き装身具を所望の位置からズレることを防止できると好ましい。
【００１２】
伸縮性のある布体には、例えば上肢や下肢に収納部付き装身具を装着した際に、上肢や下肢の運動を阻害しないような素材を使用すると好ましい。素材としては、例えば、ポリエステル、ウレタン、ナイロン等の合成繊維や、綿、麻、絹等の天然繊維や、合成繊維と天然繊維を組み合わせたもの等が挙げられる。また、伸縮性のある布体に太陽光（紫外線）を遮断する処理や抗菌処理が施されたものも等も使用することができる。
【００１３】
前記収納部は、前記筒状の本体部が外側に折り返されて形成されていると好ましい。筒状の本体部が外側に折り返されて形成されていることにより、収納部を別途取り付ける必要はなく、本体部を折り返すだけで容易に収納部を形成することができる。
【００１４】
開口している端の反対の端は、指が挿通可能に形成されていると好ましい。指が挿通可能に形成されていることにより、収納部付き装身具を装着後にも、指の一部又は全部が被覆されていない状態になるので、指が全部被覆されてしまう場合と比較して自由に指を使うことができる。
【００１５】
指が挿通可能に形成されるとは、指全体が挿通可能に形成されているもの、親指と人差し指〜小指とに分けて挿通可能に形成されているもの、指が一本ずつ挿通可能に形成されているもの等が挙げられる。
【００１６】
また、開口している端の反対の端には、指を入れる袋部が設けられていると好ましい。指を入れる袋部が設けられていることにより、指全体を被覆することが可能になるので、指全体を例えば日焼け等から保護することができる。
【００１７】
指を入れる袋部は、指全体が入れられるもの、親指用と人差し指〜小指用とに分けて入れることが可能であるもの、指を一本ずつ分けて入れることが可能であるもの等が挙げられる。
【図面の簡単な説明】
【００１８】
【図１】収納部付き装身具１の構成を表す斜視図である。
【図２】右手用装身具１Ａの収納部３側及び左手用装身具１Ｂの収納部３側を拡大した拡大図である。
【図３】右手用装身具１Ａを装着した場合の説明図である。
【図４】図４（ａ）〜（ｄ）は、収納部付き装身具１の本体部を収納部へ収納する方法を表す説明図である。
【図５】図５（ａ）、（ｂ）は、変形例を表す斜視図である。
【考案を実施するための形態】
【００１９】
本発明の実施形態を図面に基づいて説明する。
１．収納部付き装身具１の構成
収納部付き装身具１の構成を、図１、図２、図３に基づいて説明する。図１は、収納部付き装身具１の構成を表す斜視図である。収納部付き装身具１は、右手用装身具１Ａと左手用装身具１Ｂとがセットになっており、それぞれについて、ポリエステルを８０％、綿を２０％の割合で含む生地（伸縮性のある布体）から成る筒状の本体部２と、本体部２と同じ生地から成る収納部３とを備える。筒状に形成された本体部２は、手の一部、前腕、及び上腕の一部の周りを完全に覆うことができる。右手用装身具１Ａの本体部２は、右側長辺部８（点線で示す箇所）において縫着されており筒状に形成されている。左手用装身具１Ｂの本体部２は、左側長辺部９(点線で示す箇所)において縫着されており筒状に形成されている。本体部２において、収納部３を備える側の一端には開口部４が形成されている。収納部３は、本体部２を一定の形として収納することが可能な袋状に形成されている。また、収納部３は、本体部２が外側に折り返されて形成されている。開口部４とは反対の端には、親指が挿通可能な親指用挿通部５Ａと、人差し指から小指までが挿通可能な人差し指から小指まで用挿通部５Ｂとが形成されている。
【００２０】
なお、右手用装身具１Ａ、左手用装身具１Ｂのそれぞれにおいて、開口部４とは反対の端には、飾り用のレース６とリボン７が縫いつけられている。
図２は、右手用装身具１Ａの収納部３側及び左手用装身具１Ｂの収納部３側を拡大した拡大図である。右手用装身具１Ａの収納部３において、右側長辺部８の範囲を右側側縁部１０、その１８０度逆側の側縁部を左側側縁部１１とする。左側側縁部１１にはタグ１２が設けられている。収納部３は、右側側縁部１０と左側側縁部１１の範囲１１Ａで示される部分とで、本体部２に縫着されている。左手用装身具１Ｂも同様に、左手用装身具１Ｂの収納部３において、左側長辺部９の範囲を左側側縁部１３、その１８０度逆側の側縁部を右側側縁部１４とする。右側側縁部１４にはタグ１２が設けられている。収納部３は、左側側縁部１３と右側側縁部１４の範囲１４Ｂで示される部分とで本体部２に縫着されている。
【００２１】
図３は、右手用装身具１Ａを上肢に装着した場合の説明図を示す。右手用装身具１Ａは指先が親指用挿通部５Ａと、人差し指から小指まで用挿通部５Ｂから突出した状態で上肢に装着される。また、開口部４は腕の太さにフィットするように形成されており、本体部２が腕からズレ落ちることを防止することができる。
２．収納部付き装身具１の本体部を収納部へ収納する方法
収納部付き装身具１の本体部２を収納部３へ収納する方法を図４に基づいて説明する。まず、右手用装身具１Ａを左手用装身具１Ｂの上に置いて重ねた状態で、図４（ａ）に示すように、２つの矢印において、収納部３を備える一端とは反対の端から収納部３に向かって本体部２を三つ折りに畳む。次に、図４（ｂ）に示すように、矢印において、三つ折にした本体部２を収納部３に向かってさらに半分に折り畳む。この時、左手用装身具１Ｂの収納部３において、折り畳んだ本体部２がある側を３Ａ、その反対側を３Ｂとする。次に、図４(ｃ)に示すように、反対側３Ｂを裏返し、その裏返した左手用装身具１Ｂの収納部３が、折り畳んだ本体部２の一部を覆うことにより、折り畳んだ本体部２の一部を左手用装身具１Ｂの収納部３へ収納する。本体部２の一部が収納部３に収納された収納部付き装身具を図４（ｄ）に示す。
３．収納部付き装身具１が奏する効果
（１）収納部付き装身具１を用いれば、手の一部、前腕、及び上腕の一部の周りを完全に覆うことができるので、覆われている部分を日焼け等から保護することができる。
【００２２】
（２）収納部付き装身具１は、指先が突出した状態で上肢に装着されるので、自由に指先を使うことができる。
（３）収納部付き装身具１の開口部４は腕の太さにフィットするように形成されているので、本体部２が腕からズレ落ちることを防止することができる。
【００２３】
（４）収納部付き装身具１を、未使用時には、右手用装身具１Ａと左手用装身具１Ｂとを重ね合わせた状態で本体部２を折り畳んで収納部３に収納するという簡単な作業のみで見た目にも美しいコンパクトな形状にすることができる。
【００２４】
尚、本発明は前記実施の形態になんら限定されるものではなく、本発明を逸脱しない範囲において種々の態様で実施しうることはいうまでもない。
例えば、図５（ａ）に示されるように、本体部２の長さは短くてもよく、指を１本ずつ覆う手袋の形状であってもよい。この場合、収納部３は手首に当たる部分に設けられている。収納部３は、前記実施の形態と同様に本体部２が外側に折り返されて形成されている（変形例１）。また、図５（ｂ）に示されるように、靴下の形状であってもよい。この場合、本体部２の長さは、例えば、足先からすね部分の周りを完全に覆うことができるものや、足先からひざ上の大腿部の一部までもが覆うことができるものであってもよく、本体部２の長さは限定されない（変形例２）。
【００２５】
変形例１、変形例２においても、未使用時には、前記実施の形態と同様に、本体部２を折り畳んだ形状で収納部３に収納するという簡単な作業のみで見た目にも美しいコンパクトな形状にすることができる。
【符号の説明】
【００２６】
１・・・収納部付き装身具、１Ａ・・・右手用装身具、１Ｂ・・・左手用装身具、２・・・本体部、３・・・収納部、４・・・開口部、５Ａ・・・親指用挿通部、５Ｂ・・・人差し指から小指まで用挿通部、６・・・レース、７・・・リボン、８・・・右側長辺部、９・・・左側長辺部、１０、１４・・・右側側縁部、１１、１３・・・左側側縁部、１２・・・タグ
【図１】
0003174595.tif 000003
【図２】
0003174595.tif 000004
【図３】
0003174595.tif 000005
【図４】
0003174595.tif 000006
【図５】
0003174595.tif 000007